(57)【要約】      （修正有）【課題】衣服の肩部のしわを防止することができる、衣服掛けハンガー用肩しわ防止具を提供する。【解決手段】衣服用ハンガーＡの肩掛部の上方を通り、衣服の肩部に当接する肩しわ防止部２と、および肩しわ防止部から延設されて衣服の胸部に当接する胸部当接部３と、肩しわ防止部から延設されて衣服の背中部に当接する背中当接部の形状を含むシート状の保形体と、保形体を横桟部に取り付ける取付手段６とを設けた衣服ハンガー肩しわ防止具１であり、保形体は、衣服用ハンガーの肩掛部に当接する当接点７から、両側に延設した延設部８が形成され、延設部の両端から保形体の内側方向に下り傾斜する第１の傾斜部９が形成されており、衣服用ハンガーの肩掛部の上方を通り、衣服用ハンガーの水平となった横桟部へ、上向きに先端が切除された円錐形状の保形体を取り付け、位置可変に取り付ける。【選択図】図１
2015211745.tif 000002
【特許請求の範囲】
【請求項１】
衣服用ハンガーの肩掛部の上方を通り、衣服の肩部に当接する肩しわ防止部と、前記肩しわ防止部から延設されて衣服の胸部に当接する胸部当接部と、前記肩しわ防止部から延設されて衣服の背中部に当接する背中当接部の形状を含むシート状の保形体と、前記保形体を前記横桟部に取り付ける取付手段とを設けた衣服ハンガー肩しわ防止具であり、保形体は、前記衣服用ハンガーの肩掛部に当接する当接点から両側に延設した延設部が形成され、前記延設部の両端から保形体の内側方向に下り傾斜する第１の傾斜部が形成されており、衣服用ハンガーの肩掛部の上方を通り、衣服用ハンガーの水平となった横桟部へ上向きに先端が切除された円錐形状の前記保形体を取り付け位置可変に取り付けることを特徴とする衣服ハンガー用肩しわ防止具。
【請求項２】
前記第１の下り傾斜部の両端から当接点方向に上り傾斜する第２の傾斜部が形成されている請求項１に記載の衣服ハンガー用肩しわ防止具。
【請求項３】
前記保形体は、前記衣服用ハンガーの肩掛部に当接する当接点から両側に下り傾斜する下り傾斜部が形成され、前記下り傾斜部の両端から保形体の内側方向に下り傾斜する第１の傾斜部が形成され、第１の傾斜部の両端から当接点方向に上り傾斜する第２の傾斜部とで略５角形状に形成されている請求項１又は請求項２のいずれか一方に記載の衣服ハンガー用肩しわ防止具。
【請求項４】
前記第２の傾斜部の交差位置には外方に突出して衣服の上腕部に当接する上腕部当接部が形成されている請求項１乃至請求項３のいずれか一項に記載の衣服ハンガー用肩しわ防止具。
【請求項５】
請求項１乃至請求項４のいずれか一項に記載の衣服ハンガー用肩しわ防止具を備えたことを特徴とするハンガー。
【発明の詳細な説明】
【技術分野】
【０００１】
本発明は、衣服収納時や洗濯物を干す時にハンガーへ取り付けて使用する衣服ハンガー用肩しわ防止具に関するものである。
【背景技術】
【０００２】
周知の通り、人間の肩の形状は千差万別であり、日本人に多いと言われている肩の先が前に出ている前肩、西洋人に多いと言われている並肩、背が丸まって前かがみの猫背、女性に多いなで方、男性に多いいかり型がある。また、首に近い肩の厚みは厚く、腕に近い肩の厚みは薄くなっている。
【０００３】
市販されている衣服は、体型が多い形状に合わせて大量に製造されているが、同一の形状では無い。誂えものだと、その使用者の体型に合わせたものが個々に製造される。
【０００４】
しかしながら、一般的な衣服ハンガーは金物やプラスチック製の細い物が主体であり、衣服の肩部の形状に合っておらず、衣服の肩部を変形させてしまうという問題点があった。また、衣服の肩部に比し長さが合わないものであり、衣服の肩部に比し長い場合は衣服の肩部の形状を潰してしまい、衣服の肩部に比し短い場合は衣服の肩部にしわが発生するという問題点があった。また、衣服の肩部に比し幅が狭いものであり、衣服の肩部の形状を潰してしまうという問題点があった。また、肩の縫い目が衣服ハンガーに合わないことがあり、特に洗濯後の水分を含んだ衣服にあっては、細い衣服ハンガーに荷重が集中し、乾燥時に衣服の肩部にしわを発生させるという問題点があった。
【０００５】
上記問題点を解消するために発明された特許文献１に示すものは、服の肩部と対応する位置に合成樹脂製のパッドを取り付けたものであり、パッドは硬質でできているため、衣服の肩部を変形させてしまうという従来の問題点を解消できなかった。また、衣服の肩部に比し長さが合わないものであり、衣服の肩部に比し長い場合は衣服の肩部の形状を潰してしまい、衣服の肩部に比し短い場合は衣服の肩部にしわが発生し、従来の問題点を解消できなかった。また、衣服の肩部に比し肩の厚み方向の幅が狭いものであり、衣服の肩部の形状を潰してしまい、従来の問題点を解消できなかった。
【０００６】
また、特許文献２に示すものは、衣服用針金ハンガーに形状が可変なプラスチック等のシート状部材で円筒形状に形成されたものを衣服ハンガーの底部材と斜辺部材に跨らせて固定したものであり、衣服ハンガーの底部材の中心側は縦長の楕円形になり、衣服ハンガーの底部材の端部側は円形になり、首に近い肩の幅は広く、腕に近い肩の幅は狭くなっているという衣服の形状には対応しておらず、衣服の肩部を変形させてしまうという従来の問題点を解消できなかった。また、取り付け位置を変えることができず、衣服の肩部に比し長さが合わないものであり、衣服の肩部に比し長い場合は衣服の肩部の形状を潰してしまい、衣服の肩部に比し短い場合は衣服の肩部にしわが発生し、従来の問題点を解消できなかった。
【先行技術文献】
【特許文献】
【０００７】
【特許文献１】特開２００１−１６９８９４号公報
【特許文献２】特開２００２−１２５８３６号公報
【発明の概要】
【発明が解決しようとする課題】
【０００８】
本発明は、上記従来の課題を解決するもので、衣服の肩部のしわを防止することができる衣服ハンガー用肩しわ防止具を提供するものである。
【課題を解決するための手段】
【０００９】
上記課題を解決するため、本発明の衣服ハンガー用肩しわ防止具は、衣服ハンガーの肩掛部の上方を通り、衣服の肩部に当接する肩しわ防止部と、前記肩しわ防止部から延設されて衣服の胸部に当接する胸部当接部と、前記肩しわ防止部から延設されて衣服の背中部に当接する背中当接部の形状を含むシート状の保形体と、前記保形体を前記横桟部に取り付ける取付手段とを設けた衣服ハンガー用肩しわ防止具であり、保形体は、前記衣服ハンガーの肩掛部に当接する当接点から両側に延設した延設部が形成され、前記延設部の両端から保形体の内側方向に下り傾斜する第１の傾斜部が形成されており、衣服ハンガーの肩掛部の上方を通り、衣服ハンガーの水平となった横桟部へ上向きに先端が切除された円錐形状の前記保形体を取り付け位置可変に取り付けることを特徴とする。
【００１０】
本発明にあっては、前記第１の下り傾斜部の両端から当接点方向に上り傾斜する第２の傾斜部が形成されていることが望ましい。また、本発明にあっては、前記保形体は、前記衣服ハンガーの肩掛部に当接する当接点から両側に下り傾斜する下り傾斜部が形成され、前記下り傾斜部の両端から保形体の内側方向に下り傾斜する第１の傾斜部が形成され、第１の傾斜部の両端から当接点方向に上り傾斜する第２の傾斜部とで略５角形状に形成されていることが望ましい。また、本発明にあっては、前記第２の傾斜部の交差位置には外方に突出して衣服の上腕部に当接する上腕部当接部が形成されていることが望ましい。
【発明の効果】
【００１１】
本発明の衣服ハンガー用肩しわ防止具は、衣服ハンガーの肩掛部の上方を通り、衣服の肩部に当接する肩しわ防止部と、前記肩しわ防止部から延設されて衣服の胸部に当接する胸部当接部と、前記肩しわ防止部から延設されて衣服の背中部に当接する背中当接部の形状を含むシート状の保形体と、前記保形体を前記横桟部に取り付ける取付手段とを設けた衣服ハンガー用肩しわ防止具であり、保形体は、前記衣服ハンガーの肩掛部に当接する当接点から両側に延設した延設部が形成され、前記延設部の両端から保形体の内側方向に下り傾斜する第１の傾斜部が形成されており、衣服ハンガーの肩掛部の上方を通り、衣服ハンガーの水平となった横桟部へ上向きに先端が切除された円錐形状の前記保形体を取り付け位置可変に取り付けることを特徴とするものであるから、衣服の肩部を変形させることが無いという効果がある。また、肩幅に応じて取付位置を調整することができるので、衣服の肩部の形状を潰してしまったり、衣服の肩部にしわを発生させることが無いという効果がある。また、洗濯後の水分を含んだ衣服にあっても乾燥時に衣服の肩部にしわを発生させることが無いという効果がある。更に、上記衣服ハンガー用肩しわ防止具はハンガーの形状に合わせて中心から先端に向かって小さくなる先端が切除された円錐形状であると共に、衣服ハンガーの水平な横桟部に係止されることによって保形体自体が自立する構造であり、保形体全体が衣服の重みに対する圧力を分散するため、衣服の形状に合わせて３次元的に変形してフィットし、かつハンガー肩掛け部の傾斜角度に左右されることなく安定するという効果もある。
また、請求項２のように、前記第１の下り傾斜部の両端から当接点方向に上り傾斜する第２の傾斜部が形成したものは、保形体５の形状を衣服の縫製位置と合わせことができ、衣服の型崩れを防止することができるという効果がある。
また、請求項３のように、前記保形体は、前記衣服ハンガーの肩掛部に当接する当接点から両側に下り傾斜する下り傾斜部が形成され、前記下り傾斜部の両端から保形体の内側方向に下り傾斜する第１の傾斜部が形成され、第１の傾斜部の両端から当接点方向に上り傾斜する第２の傾斜部とで略５角形状に形成したものは、保形体５の形状を衣服の縫製位置と合わせことができ、衣服の型崩れを防止することができるという効果と、衣服ハンガーの肩掛部に前記保型体が略垂直に垂れ下がるようになり、取付状態が安定するとともに見栄えも良いという効果があり、更に、保型体の表面に絵や文字を記載する場合にあっては、記載スペースを十分に確保できるという効果がある。
また、請求項４のように、前記第２の傾斜部の交差位置には外方に突出して衣服の上腕部に当接する上腕部当接部が形成したものは、上腕部当接部により、衣服の形状に対応して滑らかに湾曲した湾曲部で保持することができ、衣服の変形を防止することができるという効果がある。
また、シート状のために未使用時の保管スペースを最小限に抑えることができるという効果や、衣服ハンガーへの取り付けおよび取り外しが迅速且つ容易に行えるという効果もある。
また、落下防止・乾燥時間向上・女性下着へのプライバシー保護という効果もある。
【図面の簡単な説明】
【００１２】
【図１】本発明の一実施例を示すものであり、衣服ハンガー用肩しわ防止具の正面図である。
【図２】同上の衣服ハンガー用肩しわ防止具の平面図である。
【図３】同上の衣服ハンガー用肩しわ用防止具の図１におけるＹ−Ｙ断面の前方斜視図である。
【図４】本発明の第二実施例を示すものであり、衣服ハンガー用肩しわ防止具の平面図である。
【図５】本発明の第三実施例を示すものであり、衣服ハンガー用肩しわ防止具の平面図である。
【発明を実施するための形態】
【００１３】
図１は本発明の一実施例を示している。  衣服ハンガー用しわ防止具１は、衣服用ハンガーＡの肩掛部Ｂの上方を通り、衣服ハンガーＡの水平となった横桟部Ｃへ上向きに取り付けられる肩しわ防止具であって、衣服ハンガーＡの肩掛部Ｂの上方を通り、衣服の肩部に当接する肩しわ防止部２と、肩しわ防止部２から延設されて衣服の胸部に当接する胸部当接部３と、肩しわ防止部２から延設されて衣服の背中部に当接する背中当接部４の形状を含むシート状の保形体５と、衣服ハンガーＡの横桟部Ｃに係止されて保形体５を衣服ハンガーＡの水平となった横桟部Ｃへ上向きに先端が切除された円錐形状の前記保形体を取り付け位置可変に取り付ける取付手段６とにより構成されている。
【００１４】
上記保形体５は、図２に示すように、衣服ハンガーＡの肩掛部Ｂに当接する当接点７から両側に下り傾斜する延設部８が形成され、延設部８の両端から保形体５の内側方向に下り傾斜する第１の下り傾斜部９が形成され、第１の下り傾斜部９の両端から当接点７方向に上り傾斜する第２の傾斜部１０とで略６角形状になっている。延設部８と第１の下り傾斜部９との交点同士を結んだ距離に比し、第１の下り傾斜部９と第２の傾斜部１０との交点同士を結んだ距離の方が短くなっている。この保形体５は、ニードルパンチカーペットなどの不織布素材のシート又は、EVAスポンジシートなどの熱可塑性樹脂発泡体をもって成形したものである。上記実施例の保形体５は、ニードルパンチカーペットシート又は、スポンジシートなどをもって成形したものであるが、これらの材質は、上記不織布及び熱可塑性樹脂発泡体に限定されるものではない。但し、上記のように不織布素材とすることにより、面ファスナーにて固定し易いと共に、同時に滑り止め効果や消臭効果、表面には柄プリントや企業広告を施すことも容易である。保形体５は、ニードルパンチカーペットなどの不織布素材のシート又は、EVAスポンジシートなどの熱可塑性樹脂発泡体のような軟質のシートをもって成形することにより摩擦係数が大きくなり、洗濯バサミなどで衣服を係止する必要がなくなり、洗濯バサミなどによる二次的なしわが発生しない。
保形体５は、例えスーツの様な重量物を掛けても、逆V字状に変形してスーツの肩部にしわを生じない強度にすると好ましく、その強度を有する厚みのものを選択することにより、より効果の高い衣服ハンガー用肩しわ防止具を得ることが可能となる。
実施例は、衣服ハンガーＡの肩掛部Ｂに当接する当接点７から両側に下り傾斜する延設部８が形成されているが、図４に示すように、服ハンガーＡの肩掛部Ｂに当接する当接点７から両側に下り傾斜しない延設部８を形成したり、図５に示すように湾曲した延設部８を形成しても構わないものである。
【００１５】
一方の第１の傾斜部９の中央には位置には外方に突出する挿入部１１が一体的に形成されている。挿入部１１の基端の両側にはスリット１２がそれぞれ形成されている。
【００１６】
他方の第１の傾斜部９の端縁の内側には第１の傾斜部９に対し平行な２本の切り込み溝１３が形成されている。切り込み溝１３は、第１の傾斜部９に近い側が第１の切り込み溝１３ａ、第１の傾斜部９から離れた側が第２の切り込み溝１３ｂとなっている。取付手段６は、挿入部１１と、第１の切り込み溝１３ａと、第２の切り込み溝１３ｂとにより構成されている。取付手段６は、保形体５を取り付け位置を変えることができれば面ファスナーやホックのようなものでも構わないものである。
【００１７】
衣服ハンガーＡの内側へ保形体５の当接点７を向け、衣服ハンガーＡの外側が第２の傾斜部１０になるように先端が切除された円錐形状に曲げることで人体の肩と胸部分に相当するふくらみが形成される。延設部８と第１の下り傾斜部９との交点同士を結んだ距離に比し、第１の下り傾斜部９と第２の傾斜部１０との交点同士を結んだ距離の方が短くなっているので、円筒状に曲げると、衣服ハンガーＡの形状に合わせて衣服ハンガーＡの中心から衣服ハンガーＡの先端に向かって小さくなる先端が切除された円錐形状に形成される。衣服の重みが肩しわ防止部２、胸部当接部３、背中当接部４により吸収され、取付手段６がハンガーＡの横桟部Ｃに係止されることで先端が切除された円錐形状にした衣服ハンガー用しわ防止具１を安定した状態に保つことが出来る構造である。  また、衣服ハンガーＡの横桟部Ｃを利用して取り付けることにより、衣服ハンガーＡの肩掛け部Ｂの傾斜角度に左右されることなく衣服ハンガー用肩しわ防止具１の取付状態が安定するという効果もある。
【００１８】
第１の下り傾斜部９の両端から当接点７方向に上り傾斜する第２の傾斜部１０を設けることで、保形体５の形状を衣服の縫製位置と合わせことができ、衣服の型崩れを防止することができる。
【００１９】
上腕部当接部１６を形成したものは、上腕部当接部により、衣服の形状に対応して滑らかに湾曲した湾曲部で保持することができ、衣服の変形を防止することができる。
【００２０】
上記の構成において、本衣服ハンガー用しわ防止具の使用方法について、以下に説明する。
【実施例】
【００２１】
衣服掛けハンガー用しわ防止具１の衣服ハンガーＡへの取り付け作業は、図３に示すように先端が切除された円錐形状に組み立てるだけであり、挿入部１１を手前にし切り込み溝１３を奥側として、切り込み溝１３により囲まれた保持部１４を衣服ハンガーＡの横桟部Ｃの下面に当接させ、切り込み溝１３を開きながら挿入部１１を第１の切り込み溝１３ａに外側から挿入し、衣服ハンガーＡの横桟部Ｃの上方を通らせた後、第２の切り込み溝１３ｂに内側から挿入する。（保形体５の外側部分まで挿入後、）挿入部１１の両端にあるロック部１５を内側へ折り曲げることで衣服ハンガー用しわ防止具１の脱落防止を確実にできる。衣服ハンガー用しわ防止具１は、左右一対にて衣服ハンガーＡの横桟部Ｃへ取り付けて使用する。切り込み溝１３により囲まれた保持部１４を衣服ハンガーＡの横桟部Ｃの下面に当接させ、切り込み溝１３を開きながら挿入部１１を第１の切り込み溝１３ａに外側から挿入し、衣服ハンガーＡの横桟部Ｃの上方を通らせた後、第２の切り込み溝１３ｂに内側から挿入するようにしたものは、保持部１４を衣服ハンガーＡの横桟部Ｃで確実に保持でき、スムーズに衣服ハンガー用しわ防止具１を移動させることができる。衣服ハンガー用しわ防止具１の衣服ハンガーＡの横桟部Ｃへの取り付けの他の方法は、挿入部１１を手前にし切り込み溝１３を奥側として、切り込み溝１３により囲まれた保持部１４を衣服ハンガーＡの横桟部Ｃの上面に当接させ、切り込み溝１３を開きながら挿入部１１を第１の切り込み溝１３ａに内側から挿入し、衣服ハンガーＡの横桟部Ｃの下方を通らせた後、第２の切り込み溝１３ｂに外側から挿入する方法があり、この場合は、挿入部１１を衣服ハンガー用しわ防止具１の内側に位置させることができ、見栄えを良くすることができる。保持部１４の幅を衣服ハンガーＡの横桟部Ｃの幅よりも広くすると、保持部１４がガイドとなり、衣服ハンガー用しわ防止具１をスムーズに移動させることが可能となる。
【００２２】
上記衣服ハンガーＡに衣服ハンガー用しわ防止具１を取り付けた状態で衣服を懸吊した場合、保形型体５が衣服にとって適度な厚みを有しているので、衣服を着服したのと同様な状態で保形体５に支持される。素材をパンチカーペット又はスポンジ状とすることで衣服が保形体５からずり落ち難く、しわの発生防止に大変有効である。衣服ハンガーを長期間使用した場合でも、衣服が型崩れを起こし難い。また、衣服に空間が発生する為、乾燥時間の短縮にも繋がり、女性用下着をハンガーＡの横桟部Ｃの中心部分に掛けて内包することで同時に乾燥することも可能である。一般的に男性用下着に対して女性用下着は盗難などのリスクも高く、衣服の内側スペースを活用することで、プライバシーに配慮しながら効率が良い乾燥手法の確立が可能となる。
【００２３】
また、男女の肩幅差や衣服による位置ズレも衣服ハンガー用しわ防止具１を左右に動かすことで調整可能であり、ニット素材などの柔らかく型崩れし易い衣服に対しても有効である。さらに、不要な際は衣服ハンガー用しわ防止具１を衣服ハンガーＡから取り外すことも容易であり、シート状の形状であるため大変コンパクトになり、一度に多量の衣服ハンガー用しわ防止具１を持ち運ぶことができると共に、未使用時の保管スペースも最小限で済む。
【００２４】
衣服ハンガー用しわ防止具１の衣服ハンガーＡへの取り付けおよび取り外しが迅速且つ容易に行える。また、衣服ハンガー用しわ防止取付具１を取り付けることにより、男女の肩幅の違いや、肩部分の縫製ラインの相違によるしわの発生を抑えることができ、表面に印刷を施すことによりファッション性に優れ、企業広告媒体としての活用や、ファッションブティックなどではノベルティとしての配布もシート状のため容易になる等の効果を奏する。
【００２５】
即ち、可能な限りシンプルな構造にて人型に合わせて衣服を膨らませると共に、空間が出来たことによって乾燥時間短縮や、別体の衣服ハンガーＡの横桟部Ｃにリングハンガーを追加したり、直接取り付けることにより女性用下着も同時に乾燥することができる。
【００２６】
上記保形体５の当接点７の内角は１５０度、第２の傾斜部１０の内角は１９０度程度とし、当接点７から延設部８先端までは１７センチ、前記延設部８先端から内側方向に傾斜した第１の下り傾斜部９先端までは１４．５センチ、前記第１の下り傾斜部９先端から第２の傾斜部１０、２６の交点までは１３センチとすることで本発明の概ねの形状をシートより形成することができる。
【００２７】
尚、上記実施例の保形体５は、ニードルパンチカーペットシート又は、スポンジシートなどをもって成形したものであるが、これらの材質は、上記不織布及び熱可塑性樹脂発泡体のような軟質シートに限定されるものではない。但し、上記のように不織布素材とすることにより、面ファスナーにて固定し易いと共に、同時に滑り止め効果や消臭効果、表面には柄プリントや企業広告を施すことも容易である。
【符号の説明】
【００２８】
１  衣服ハンガー用しわ防止具
２  肩しわ防止部
３  胸部当接部
４  背中当接部
５  保形体
６  取付手段
７  当接点
８  延設部
９  第１の下り傾斜部
１０  第２の傾斜部
Ａ  衣服用ハンガー
Ｂ  衣服用ハンガー肩掛部
Ｃ  衣服用ハンガー横桟部
【図１】
2015211745.tif 000003
【図２】
2015211745.tif 000004
【図３】
2015211745.tif 000005
【図４】
2015211745.tif 000006
【図５】
2015211745.tif 000007